(57)【要約】【課題】カメラを用いる撮影環境は多様であり、撮影レンズを交換したいときにいつでもカメラマウントの指標とレンズマウントの指標を確認することができるわけではない。例えば、三脚に固定された望遠レンズに対してカメラ本体を装着する場合、ユーザは、ファインダ側であるカメラ本体の背面側から、カメラマウント側である正面側に回って指標を確認しなければならなかった。【解決手段】上記課題を解決するために、撮影レンズを交換可能なレンズ交換式カメラは、撮影レンズを着脱可能に装着するカメラマウントと、カメラマウントが視認できない位置に表され、撮影レンズがカメラマウントに対して着脱できる向きを示す補助指標とを備える。【選択図】図４
2011175190.tif 000002
【特許請求の範囲】
【請求項１】
撮影レンズを交換可能なレンズ交換式カメラにおいて、
前記撮影レンズを着脱可能に装着するカメラマウントと、
前記カメラマウントが視認できない位置に表され、前記撮影レンズが前記カメラマウントに対して着脱できる向きを示す補助指標と
を備えるレンズ交換式カメラ。
【請求項２】
前記カメラマウントの近傍に設けられ、前記撮影レンズが前記カメラマウントに対して着脱できる向きを示す着脱指標を備え、
前記補助指標は、前記着脱指標と結ぶ直線が前記レンズ交換式カメラの撮影光軸方向と平行となる外観部に設けられる請求項１に記載のレンズ交換式カメラ。
【請求項３】
少なくとも前記レンズ交換式カメラの一部の設定項目を表示する表示部を備え、
前記補助指標は、前記表示部に表示される請求項１または２に記載のレンズ交換式カメラ。
【請求項４】
前記レンズ交換式カメラの姿勢を検知する姿勢検知部を備え、
前記表示部は、前記補助指標と共に、前記姿勢検知部により検知された前記レンズ交換式カメラの姿勢を表示する請求項３に記載のレンズ交換式カメラ。
【請求項５】
前記レンズ交換式カメラの撮影光軸に対応する位置に光軸指標を表示する請求項３または４に記載のレンズ交換式カメラ。
【請求項６】
前記撮影レンズを前記カメラマウントに対してロックするロック機構を備え、
前記表示部は、前記ロック機構の状態に応じて、ユーザの動作を促す表示を行う請求項３から５のいずれか１項に記載のレンズ交換式カメラ。
【請求項７】
前記ロック機構を解除するロック解除ボタンを備え、
前記表示部は、前記ロック解除ボタンの押下げに連動して表示を行う請求項６に記載のレンズ交換式カメラ。
【請求項８】
前記表示部による表示は、前記レンズ交換式カメラの電源がオフにされているときであっても、少なくとも前記表示部に電力を供給して表示を行う請求項３から７のいずれか１項に記載のレンズ交換式カメラ。
【請求項９】
前記撮影レンズと無線で通信を行う無線通信部を備え、
前記表示部は、前記無線通信部による通信により得られる情報に基づいて、前記撮影レンズの姿勢を表示する請求項３から８のいずれか１項に記載のレンズ交換式カメラ。
【請求項１０】
前記補助指標は、前記レンズ交換式カメラの外装部材に印刷、凹凸形状および貼着のいずれかの形態により設けられる請求項１または２に記載のレンズ交換式カメラ。
【発明の詳細な説明】
【技術分野】
【０００１】
本発明は、レンズ交換式カメラに関する。
【背景技術】
【０００２】
一眼レフカメラに代表されるように、撮影レンズを交換できるレンズ交換式カメラが知られている。カメラ本体はカメラマウントを、撮影レンズはレンズマウントを備え、ユーザは、それぞれのマウントに設けられた指標を合わせて当接させた後に、カメラ本体と撮影レンズを相対的に回転して固定する。カメラマウントの指標の視認性を高める方策として、例えば指標を照明する照明装置を備えるカメラ本体が知られている。
【先行技術文献】
【特許文献】
【０００３】
【特許文献１】特開２０００−２９２８５０
【発明の概要】
【発明が解決しようとする課題】
【０００４】
カメラを用いる撮影環境は多様であり、撮影レンズを交換したいときにいつでもカメラマウントの指標とレンズマウントの指標を確認することができるわけではない。例えば、三脚に固定された望遠レンズに対してカメラ本体を装着する場合、ユーザは、ファインダ側であるカメラ本体の背面側から、カメラマウント側である正面側に回って指標を確認しなければならなかった。
【課題を解決するための手段】
【０００５】
上記課題を解決するために、本発明の一つの態様における撮影レンズを交換可能なレンズ交換式カメラは、撮影レンズを着脱可能に装着するカメラマウントと、カメラマウントが視認できない位置に表され、撮影レンズがカメラマウントに対して着脱できる向きを示す補助指標とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】カメラ本体と撮影レンズの外観斜視図である。
【図２】ロックピンの動作を説明する正面図および断面図である。
【図３】カメラマウントおよびボディ指標と、カメラ本体の背面との関係を示す図である。
【図４】装着アシスト機能を開始したときの様子を示すカメラ本体の背面図である。
【図５】カメラ本体を回転させている様子を示すカメラ本体の背面図である。
【図６】ライン指標とレンズ方向指標が一致したときの様子を示すカメラ本体の背面図である。
【図７】カメラマウントとレンズマウントの嵌合が完了した直後の様子を示すカメラ本体の背面図である。
【図８】分離アシスト機能を開始したときの様子を示すカメラ本体の背面図である。
【図９】アシスト機能の動作を表すフロー図である。
【図１０】装着アシスト機能の各処理の動作を表すフロー図である。
【図１１】分離アシスト機能の各処理の動作を表すフロー図である。
【図１２】カメラ本体が撮影レンズの相対的な位置関係が把握できる場合の表示の様子を示すカメラ本体の背面図である。
【図１３】カメラ本体に補助指標が印刷されている様子を示す図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、撮影レンズ２０とカメラ本体３０の外観斜視図である。撮影レンズ２０は、レンズマウント２１を備え、カメラ本体３０は、カメラマウント３１を備える。レンズマウント２１とカメラマウント３１が係合して撮影レンズ２０とカメラ本体３０が一体化されると、撮影レンズ２０とカメラ本体３０はレンズ交換式カメラとして機能する。本実施形態においては、レンズマウント２１とカメラマウント３１は、いわゆるバヨネット方式を採用するものとして説明する。
【００１０】
撮影レンズ２０には、例えば印刷等によりユーザが視認できるように、レンズ指標２２が設けられている。カメラ本体３０には、同様に、ボディ指標３２が設けられている。撮影レンズ２０を移動させて静置されたカメラ本体３０に装着する場合、ユーザは、まず、撮影光軸１１周りに撮影レンズ２０を回転させて、レンズ指標２２をボディ指標３２の位相に合わせつつ、撮影光軸１１と平行な矢印１２に沿って、レンズマウント２１をカメラマウント３１へ接近させる。すると、図示するように撮影光軸１１に沿って被写体光束がカメラ本体３０へ入射する方向をｚ軸とすれば、レンズ指標２２はボディ指標３２とｚ軸方向に対向した状態で、レンズマウント２１のマウント面はカメラマウント３１のマウント面と接触する。このとき、レンズ指標２２とボディ指標３２の位相が一致していなければ、レンズマウント２１とカメラマウント３１は互いの係合爪が干渉して嵌め合うことができない。つまり、レンズ指標２２とボディ指標３２の位相が一致するときのみ、レンズマウント２１とカメラマウント３１は、互いのマウント面が接触して、嵌合した状態を取り得る。
【００１１】
ユーザは更に、レンズマウント２１のマウント面とカメラマウント３１のマウント面の接触を保ったまま、撮影レンズ２０を矢印１３の方向へ回転させる。すると、レンズ指標２２がｙ軸方向の頂点に達したときに、ロックピン３３によるロック機構が作動し、撮影レンズ２０はカメラ本体３０に固定される。この状態において、撮影レンズ２０側の通信端子とカメラ本体３０側の通信端子は接続が確立され、互いに制御信号等の通信を行うことができる。
【００１２】
ロックピン３３は、カメラマウント３１のマウント面から突出するように付勢されており、レンズマウント２１とカメラマウント３１が接触している間は、レンズマウント２１のマウント面に押されてカメラマウント３１の内部に退避している。しかし、レンズ指標２２がｙ軸方向の頂点に達する位置においては、レンズマウント２１のマウント面のうちロックピン３３が対向する部位に窪みが設けられており、ロックピン３３はその窪みに対して突出することができる。ロックピン３３が窪みに対して突出すると、撮影レンズ２０はカメラ本体３０に対して回転不能となる。
【００１３】
撮影レンズ２０をカメラ本体３０から分離するときには、ユーザは、着脱ボタン３４を押し下げることにより、着脱ボタン３４に連動するロックピン３３をカメラマウント３１のマウント面から退避させてロックを解除する。そして、装着と逆の手順で撮影レンズ２０を回転させてから引き離す。
【００１４】
なお、上記の説明においては、静置されたカメラ本体３０に撮影レンズ２０を移動させて装着する場合について説明したが、撮影レンズ２０とカメラ本体３０はそれぞれを移動させ得るので、それぞれの動作は相対的である。つまり、静置された撮影レンズ２０にカメラ本体３０を移動させて装着しても良いし、撮影レンズ２０とカメラ本体３０を共に移動させて装着しても良い。
【００１５】
更にロックピン３３の周辺機構について説明する。図２は、ロックピン３３の動作を説明する正面図および断面図である。図２（ａ）は、カメラマウント３１を正面から見た図である。図２（ａ）のＡ−Ａ断面図が図２（ｂ）および図２（ｃ）である。図２（ｂ）は、ロックピン３３がカメラマウント３１のマウント面から突出した状態を示す。ロックピン３３は、コイルバネ４１によってｚ軸方向に付勢されており、ロックピン３３は、外力を受けないときにはこの状態をとる。ロックピン３３が突出した状態においては、板バネ４２は切片４３と接触して通電状態となる。
【００１６】
図２（ｃ）は、ロックピン３３が先端部で押圧力を受けて、あるいは、着脱ボタン３４が押し込まれることにより連動して、カメラマウント３１の内部に退避している状態を示す。このとき、先端部とは反対の他端部は板バネ４２を押圧する。押圧された板バネ４２は、切片４３から離間して、両者の導通は切断される。したがって、カメラ本体３０を制御する制御部は、板バネ４２と切片４３の導通状態を検出することで、レンズマウント２１のマウント面とカメラマウント３１のマウント面が接触しているか、および、着脱ボタン３４が押し下げられたかを判断することができる。ただし、撮影レンズ２０がカメラ本体３０に正しく固定されている状態では、上述のように、互いのマウント面が接触しているものの、ロックピン３３はレンズマウント２１の窪みに対して突出した状態をとる。このとき、板バネ４２と切片４３は図２（ｂ）で示す導通状態となるが、撮影レンズ２０とカメラ本体３０の通信端子接続が確立されているので、制御部は、撮影レンズ２０との通信状態を検出することで、撮影レンズ２０が正しく固定されているかを判断することができる。
【００１７】
次に、本実施形態に係る、撮影レンズ２０の装着アシスト機能について説明する。レンズ交換式カメラを使用する撮影環境は多様であり、ユーザは撮影環境に応じて、撮影レンズ２０を他の撮影レンズに交換したい、あるいは、撮影レンズ２０はそのままでカメラ本体３０を他のカメラ本体に交換したいという状況がしばしばある。このとき、ユーザは、いつでもカメラマウント３１のボディ指標３２とレンズマウント２１のレンズ指標２２を確認することができるわけではない。例えば、三脚に固定された望遠レンズにカメラ本体３０を装着する場合、ユーザは通常カメラ本体３０のファインダ側である背面側から、カメラマウント３１側である正面側に回って指標を確認しなければならなかった。また、屋内ホール観客席からの舞台撮影など暗照度、狭隘環境下においては、それぞれの指標を確認すること自体が困難であった。このような場合、それぞれの指標を視認せずに、カメラ本体３０の背面をユーザに向けたまま、カメラ本体３０を撮影レンズ２０に装着したいという要望があった。
【００１８】
また、カメラ本体３０の背面側から撮影レンズ２０をカメラ本体３０に装着しようとする場合、カメラマウント３１のボディ指標３２とレンズマウント２１のレンズ指標２２が対向して互いに嵌合状態となったとしても、ユーザは、どちらの方向に回転すれば互いに固定できるか当惑することがあった。そこで、本実施形態に係るレンズ交換式カメラは、カメラ本体３０の背面をユーザに向けたまま、カメラ本体３０を撮影レンズ２０に装着するまでのユーザの動作をアシストする装着アシスト機能を備える。
【００１９】
図３は、カメラマウント３１およびボディ指標３２と、カメラ本体３０の背面との関係を示す図である。図示するように、カメラ本体３０の背面外観部には例えば液晶モニタからなる表示部５０が設けられており、撮影された画像、様々なメニュー設定項目などを表示する。ボディ指標対応位置３５は、ボディ指標３２を撮影光軸１１と平行な直線に沿って背面側まで移動したときの対応位置を表す。つまり、ボディ指標３２を背面に投影した場合の位置を表す。光軸対応位置３６は、同様に、撮影光軸１１の背面側における対応位置を表す。図示するように、本実施形態においては、ボディ指標対応位置３５も光軸対応位置３６も、表示部５０の表示範囲内に存在する。なお、点線で示すカメラマウント３１は、カメラマウント３１を背面に投影した場合の位置関係を示す。
【００２０】
図４は、装着アシスト機能を開始したときの様子を示すカメラ本体３０の背面図である。なお、以下の一連の説明においては、三脚に固定された撮影レンズ２０に、カメラ本体３０を移動、回転させて装着する場合を想定する。より具体的には、撮影レンズ２０は、予めレンズ指標２２が真上であるｙ軸方向の頂点となるように三脚に固定されており、撮影レンズ２０にカメラ本体３０が正しく固定されれば、カメラ本体３０が水平となる場合である。
【００２１】
カメラ本体３０の制御部は、装着アシスト機能を開始すると、表示部５０に、以下の表示エレメントを対応する位置にそれぞれ表示する。なお、図４は、カメラが水平に把持されている状態を示す。
【００２２】
光軸指標５１は、光軸対応位置３６に相当する位置に表示される。光軸対応位置３６は、カメラ本体３０に対して相対的に移動しないので、装着アシスト機能が働いている間は、同じ位置に表示される。補助指標５２は、ボディ指標対応位置３５に相当する位置に表示される。ボディ指標対応位置３５も、光軸対応位置３６と同様に、カメラ本体が移動されても回転されても相対的に移動しないので、装着アシスト機能が働いている間は、同じ位置に表示される。なお、撮影レンズ２０の装着においては、撮影光軸１１周りに回転してレンズマウント２１とカメラマウント３１の位相を合わせるので、補助指標５２は、光軸対応位置３６に対する方向がわかるような形状にすることが好ましい。図においては、円の内部に描かれた菱形によって、その方向を示している。さらには、より明確にカメラ本体の撮影光軸１１に対する位相が認識できるように、光軸指標５１と補助指標５２を線で結ぶライン指標５３も表示する。
【００２３】
正姿勢指標５４は、ユーザが、カメラ本体３０が水平であるときのボディ指標対応位置３５と光軸対応位置３６を結ぶラインを認識できる指標である。図では、表示部５０の周縁部の２つの短線と光軸指標５１近傍の２つの短線で表示してラインを想起させている。正姿勢指標５４は、カメラ本体３０が水平であるときのラインを示すものなので、図４のようにカメラ本体３０が水平であるときにはライン指標５３上に位置するが、カメラ本体３０が撮影光軸１１周りに回転されると、回転量に従ってライン指標５３から回転方向に離間する。換言すれば、ユーザには、カメラ本体３０を回転しても、想起されるラインが動かないように見える。カメラ本体３０の制御部は、カメラ本体３０に内蔵されたジャイロセンサ、加速度センサ等により構成される姿勢センサの出力からカメラ本体３０の姿勢を検出し、水平方向に対する回転角を演算して、正姿勢指標５４を逐次更新しながら表示する。
【００２４】
レンズ方向指標５５は、撮影レンズ２０の光軸とレンズ指標２２を結ぶラインを認識できる指標である。図では、表示部５０の周縁部の２つの短線と光軸指標５１近傍の２つの短線で表示してラインを想起させている。なお、本実施形態においては、撮影レンズ２０がレンズ指標２２を真上に向けて静置されている状態を想定しているので、レンズ方向指標５５は、常にｙ軸方向を示すように表示される。つまり、ユーザには、カメラ本体３０を回転しても、想起されるラインが動かないように見える。レンズ方向指標５５も、正姿勢指標５４と同様に、カメラ本体３０の制御部が姿勢センサの出力に基づいて逐次更新しながら表示する。
【００２５】
なお、ここで説明する装着アシスト機能においては、撮影レンズ２０側に位置センサ、姿勢センサ、カメラ本体３０との無線通信装置などの特別な装置を追加することを前提としていないので、カメラ本体３０の制御部は、撮影レンズ２０との相対的な空間関係は把握していない。しかし、撮影レンズ２０はレンズ指標２２が真上に向けられて静置されているものとし、撮影レンズ２０とカメラ本体３０の光軸が一致しているものと仮定すれば、上記のようにレンズ方向指標５５を簡易的に表示することができる。
【００２６】
回転方向指標５６は、ユーザがレンズマウント２１へカメラマウント３１を嵌合させるときに、回転すべき方向を示す指標である。つまり、回転方向指標５６は、カメラマウント３１がレンズマウント２１に嵌合できる位相を、ユーザがカメラ本体３０を回転すべき方向で表す。なお、両者の位相のずれは、ライン指標５３とレンズ方向指標５５のなす角である。
【００２７】
上記の各々の指標の他に、装着アシスト機能が実行されていることを示す機能表示エレメント５７と、ユーザへ現時点ですべき動作を促すプロンプトエレメント５８を表示する。機能表示エレメント５７は、例えば「撮影レンズ装着アシスト」などと機能名を表示する。プロンプトエレメント５８は、図４ではカメラ本体３０を回転させてカメラマウント３１とレンズマウント２１の位相を一致させる段階であるので、例えば「カメラを矢印の方向へ回転させてください」などとユーザがすべき動作を表示する。
【００２８】
図５は、カメラマウント３１とレンズマウント２１の位相を一致させるべく、カメラ本体３０を回転させている様子を示すカメラ本体３０の背面図である。図示するように、光軸指標５１、補助指標５２およびライン指標５３は、カメラ本体３０に対する相対的な位置を維持して表示され、正姿勢指標５４およびレンズ方向指標５５は、カメラ本体３０の回転量に応じて光軸指標５１、補助指標５２およびライン指標５３との相対的な位置関係を変化させていく。別言すれば、光軸指標５１、補助指標５２およびライン指標５３が、カメラ座標系に対して固定されて表示されるのに対し、正姿勢指標５４およびレンズ方向指標５５は、カメラ本体３０が存在する空間座標系に対して固定されたように表示される。なお、図示する座標系は空間座標系である。
【００２９】
このように表示される各指標に対して、ユーザは、ライン指標５３がレンズ方向指標５５に一致するまでカメラ本体３０を回転する。図６は、ライン指標５３とレンズ方向指標５５が一致したときの様子を示すカメラ本体３０の背面図である。つまり、カメラマウント３１とレンズマウント２１の位相が一致し、カメラ本体３０を撮影レンズ２０側へ平行移動すれば、カメラマウント３１をレンズマウント２１へ嵌合できる状態を表す。
【００３０】
図６の状態では、プロンプトエレメント５８を例えば「レンズとカメラを嵌合させてください」と表示し、ユーザに嵌合動作を促す。具体的には、図１の説明において矢印１２で示す方向に撮影レンズ２０を移動させた動作に対応する。カメラマウント３１のマウント面とレンズマウント２１のマウント面が接触すると、ロックピン３３が退避状態となり、板バネ４２と切片４３の導通状態が解除される。カメラ本体３０の制御部は、導通状態の解除を検出することにより嵌合動作が完了したことを判断できるので、プロンプトエレメント５８を次の動作を促す表示に変更する。
【００３１】
図７は、カメラマウント３１とレンズマウント２１の嵌合が完了した直後の様子を示すカメラ本体３０の背面図である。カメラマウント３１とレンズマウント２１の嵌合が完了すると、今度は、それぞれのマウント面が接触を保ったままカメラ本体３０を水平方向へ戻す動作を要する。そこで、カメラ本体３０の制御部は、回転方向指標５６の矢印を反転させて、ユーザにカメラ本体３０を回転方向指標５６の方向へ回転することを促す。
【００３２】
ユーザは、ライン指標５３が正姿勢指標５４に一致するまでカメラ本体３０を回転する。ライン指標５３と正姿勢指標５４が一致するときにロック機構が作動し、それ以上カメラ本体３０を回転させることができなくなる。これにより、ユーザはカメラ本体３０を撮影レンズ２０に装着できたことを認識できる。カメラ本体３０の制御部は、板バネ４２と切片４３の導通が再開されたことを検出して、装着完了の旨をプロンプトエレメント５８を利用してユーザに通知する。装着が完了すると、装着アシスト機能は終了する。
【００３３】
本実施形態に係るレンズ交換式カメラは、カメラ本体３０の背面をユーザに向けたまま、カメラ本体３０を撮影レンズ２０から分離するまでのユーザの動作をアシストする分離アシスト機能も備える。図８は、分離アシスト機能を開始したときの様子を示すカメラ本体３０の背面図である。装着アシスト機能と同様に、表示部５０には、光軸指標５１、補助指標５２、ライン指標５３、正姿勢指標５４、レンズ方向指標５５、回転方向指標５６、機能表示エレメント５７およびプロンプトエレメント５８を表示する。機能表示エレメント５７は、例えば「撮影レンズ分離アシスト」などと機能名を表示する。
【００３４】
分離アシスト機能は、およそ装着アシスト機能の逆順を辿る。ただし、カメラマウント３１がレンズマウント２１との嵌合から外れれば、分離が完了したものと判断される。
【００３５】
図９は、アシスト機能の動作を表すフロー図である。以下の各ステップにおける各々の演算、判断、処理等は、カメラ本体３０の制御部が実行する。
【００３６】
装着アシスト機能および分離アシスト機能を含むアシスト機能は、ユーザの操作により着脱ボタン３４が押し下げられたことを検知して一連の動作を開始する。なお、撮影レンズ２０とカメラ本体３０を分離する場合には、ロック機構の解除を要するのでユーザは着脱ボタン３４を必然的に押し下げるが、撮影レンズ２０にカメラ本体３０を装着する場合には、ユーザは本来着脱ボタン３４を押し下げることを要しない。しかし、ユーザは装着アシスト機能を実行させたい場合には、着脱ボタン３４を押し下げることで実行することを選択する。制御部は、ステップＳ１０１において、着脱ボタン３４が押し下げられるまで待機する。
【００３７】
着脱ボタン３４が押し下げられるとステップＳ１０２へ進み、カメラ本体３０の電源がＯＦＦの状態であるか否かを検出する。なお、電源がＯＦＦの状態であっても、着脱ボタン３４の押し下げ検知を含むいくつかの機能については実行できるように、最低限の電力はカメラ本体３０に供給されている。
【００３８】
ステップＳ１０２で電源がＯＮの状態であると判断されると、ステップＳ１０３へ進み、電源フラグＰに１を代入して、ステップＳ１０６へ進む。ステップＳ１０２で電源がＯＦＦの状態であると判断されると、ステップＳ１０４へ進み、電源フラグＰに０を代入し、さらにステップＳ１０５で電源を強制的にＯＮに切り替え、ステップＳ１０６へ進む。ここでの強制的な電源ＯＮは、少なくとも表示部５０に電力を供給して表示を行い、アシスト機能を実行できるだけの電力をカメラ本体３０へ供給する。
【００３９】
ステップＳ１０６では、カメラ本体３０に撮影レンズ２０が装着されている状態か否かを判断する。具体的には、カメラ本体３０側から撮影レンズ２０側へ所定のレンズ通信を行い、正しい信号が戻って来た場合に撮影レンズ２０が装着されていると判断する。撮影レンズ２０が装着されていなければ、これからカメラ本体３０を撮影レンズ２０へ装着すると判断できるので、ステップＳ１０７へ進み、装着アシスト機能の各処理を実行する。撮影レンズ２０が装着されていれば、これからカメラ本体３０と撮影レンズ２０を分離すると判断できるので、ステップＳ１０８へ進み、分離アシスト機能の各処理を実行する。
【００４０】
装着アシスト機能の各処理または分離アシスト機能の各処理が終了すると、ステップＳ１０９に進み、電源フラグＰの値を確認する。電源フラグＰが１であればそのままアシスト機能を終了する。電源フラグＰが０であれば、アシスト機能開始時の電源状態を維持すべく、電源をＯＦＦに切替えた後にアシスト機能を終了する。
【００４１】
図１０は、ステップＳ１０７における装着アシスト機能の各処理の動作を表すフロー図である。装着アシスト処理が開始されると、ステップＳ７０１で、表示部５０にこれから装着アシスト機能の処理を開始する旨の表示を行う。また、「レンズの指標は上にしておいてください」等の、事前の準備をユーザに促す表示を行う。そして、ステップＳ７０２で、姿勢センサからカメラ本体３０の姿勢情報を取得し、ステップＳ７０３で、図４および図５を用いて説明したように、指標等の表示エレメントを表示する。この間に、ユーザはプロンプトエレメント５８の表示に促されて、カメラ本体３０を回転する。
【００４２】
ステップＳ７０４では、レンズマウント２１とカメラマウント３１の位相が一致したか否かを判断する。一致していなければ、再びステップＳ７０２へ戻り、ステップＳ７０２の姿勢情報の取得と、取得された姿勢情報に基づくステップＳ７０３の指標等の表示を繰り返す。一致していれば、ステップＳ７０５へ進み、図６を用いて説明したように、プロンプトエレメント５８として、レンズマウント２１とカメラマウント３１の嵌合を促進する表示を行う。
【００４３】
ステップＳ７０６では、ロックピン３３が退避したか否か、つまり、板バネ４２と切片４３の導通状態が解除されたか否かを検出する。ロックピン３３が退避したことを検出できれば、レンズマウント２１とカメラマウント３１が嵌合したものと判断できる。ロックピン３３が退避していなければ、ステップＳ７０５へ戻って嵌合を促進する表示を継続する。
【００４４】
ステップＳ７０６でロックピン３３が退避したと判断されると、次にカメラ本体３０を水平方向へ戻す動作が行われるので、ステップＳ７０７へ進み、ユーザの動作を検出すべく姿勢センサからカメラ本体３０の姿勢情報を取得する。そして、さらにステップＳ７０８で指標等の表示エレメントを表示する。
【００４５】
ステップＳ７０９では、ロックピン３３が再び突出して板バネ４２と切片４３の導通が再開されたことを検出する。ロックピン３３の突出が検出できない間は、ステップＳ７０７およびステップＳ７０８を繰り返す。ロックピン３３の突出が検出できれば、ステップＳ７１０へ進む。ステップＳ７１０では、撮影レンズ２０側の通信端子とカメラ本体３０側の通信端子の接続が確立され、互いに制御信号等の通信が行えるようになったか否かを確認する。通信の確立は、例えば、カメラ本体３０側から所定の信号を送信したときに、これに応じた信号が撮影レンズ２０側から送信されてくるかにより認識することができる。通信が確立されていなければ、ステップＳ７０７へ戻る。通信が確立されたらステップＳ７１１で、装着完了の旨をプロンプトエレメント５８を利用してユーザに通知し、図９のステップＳ１０９へ進む。
【００４６】
図１１は、ステップＳ１０８における分離アシスト機能の各処理の動作を表すフロー図である。分離アシスト処理が開始されると、ステップＳ８０１で、表示部５０にこれから分離アシスト機能の処理を開始する旨の表示を行う。そして、ステップＳ８０２で、姿勢センサからカメラ本体３０の姿勢情報を取得し、ステップＳ８０３で、図８を用いて説明したように、指標等の表示エレメントを表示する。この間に、ユーザはプロンプトエレメント５８の表示に促されて、カメラ本体３０を回転する。
【００４７】
ステップＳ８０４では、レンズマウント２１とカメラマウント３１の位相が一致したか否かを判断する。一致していなければ、再びステップＳ８０２へ戻り、ステップＳ８０２の姿勢情報の取得と、取得された姿勢情報に基づくステップＳ８０３の指標等の表示を繰り返す。一致していれば、ステップＳ８０５へ進み、プロンプトエレメント５８として、レンズマウント２１とカメラマウント３１の嵌合を解除して分離を促進する表示を行う。
【００４８】
ステップＳ８０６では、ロックピン３３が突出したか否か、つまり、板バネ４２と切片４３の導通状態が確立されたか否かを検出する。ロックピン３３が突出したことを検出できれば、レンズマウント２１とカメラマウント３１が分離したものと判断できる。ロックピン３３が突出していなければ、ステップＳ８０５へ戻って分離を促進する表示を継続する。ロックピン３３の突出が検出できれば、ステップＳ８０７で、分離完了の旨をプロンプトエレメント５８を利用してユーザに通知し、図９のステップＳ１０９へ進む。
【００４９】
以上、一連のアシスト機能を説明したが、表示エレメントの表示形態は上記の態様に限らない。それぞれのエレメントは、視認しやすいように色をそれぞれ違えることもできるし、形状も直感的なイラスト、三次元表示等を用いることができる。
【００５０】
また、上記の説明においては、ボディ指標対応位置３５が表示部５０上に存在するとしたが、表示部５０から外れる場合は、ライン指標５３のみを表示してもボディ指標対応位置３５と光軸対応位置３６を結ぶラインであることが認識できる。このとき、ライン指標５３は、撮影レンズ２０を着脱できる向きを示す補助指標としての役割を担う。
【００５１】
また、上記の実施形態においては、撮影レンズ２０側に位置センサ、姿勢センサ、カメラ本体３０との無線通信装置などの特別な装置を追加することを前提とせず、カメラ本体３０の制御部は、撮影レンズ２０との相対的な空間関係は把握しないものとして説明したが、これに限らない。撮影レンズ２０が、位置センサ、姿勢センサ、カメラ本体３０との無線通信装置などを備えて、カメラ本体３０が非接触状態で撮影レンズ２０との相対的な位置関係を把握できれば、更に高度な装着アシスト機能を実現できる。
【００５２】
例えば、非接触状態で、撮影レンズ２０のレンズ光軸位置と、レンズ光軸に対するレンズ指標２２の方向の情報を、無線通信装置によりカメラ本体３０の制御部が取得できれば、撮影レンズ２０の初期姿勢に対する制限が無くなる。具体的には、ユーザがレンズマウント２１とカメラマウント３１を嵌合させる動作をアシストする表示をより実際の状態に即して行うことができる。
【００５３】
図１２は、カメラ本体３０が撮影レンズ２０の相対的な位置関係が把握できる場合の表示の様子を示すカメラ本体３０の背面図である。レンズ方向指標５５は、取得された撮影レンズ２０の姿勢に応じて表示される。そして、取得されたレンズ光軸の位置は、レンズ光軸指標６０として、レンズ方向指標５５のライン上に表示される。レンズ光軸指標６０は、レンズ光軸の位置と共に、レンズ指標２２の方向がわかるように表示されることが好ましい。図においては、レンズ指標２２の方向に向けて表される矢印と共に表示されている。また、カメラマウント３１とレンズマウント２１の相対的な距離情報を状態表示エレメント５９として表示する。そして、カメラ本体３０の光軸指標５１をレンズ光軸指標６０に一致させる動作をユーザに促すべく、矢印である移動方向指標６１を表示し、プロンプトエレメント５８を、例えば「光軸を一致させてください」のように表示する。
【００５４】
以上の実施形態においては、背面側に表示部５０を備え、表示部５０に各々の指標を映像として表示するものとして説明した。しかし、例えばフィルムカメラのように背面側に表示部を備えない場合において、外装部材のボディ指標対応位置に、印刷、凹凸形状および貼着等の形態により補助指標が設けられているだけでも、背面側から視認して撮影レンズ２０をカメラ本体３０へ装着する一助となる。図１３は、このようなカメラ本体３０に補助指標７０が印刷されている様子を示す図である。更には、ボディ指標対応位置に限らず、カメラマウント３１が視認できない位置において表された、撮影レンズ２０をカメラマウント３１に対して着脱できる向きを示す補助指標であれば、カメラマウント３１が視認できない状況において撮影レンズ２０を装着する手助けとなる。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５７】
１１  撮影光軸、１２  矢印、１３  矢印、２０  撮影レンズ、２１  レンズマウント、２２  レンズ指標、３０  カメラ本体、３１  カメラマウント、３２  ボディ指標、３３  ロックピン、３４  着脱ボタン、３５  ボディ指標対応位置、３６  光軸対応位置、４１  コイルバネ、４２  板バネ、４３  切片、５０  表示部、５１  光軸指標、５２  補助指標、５３  ライン指標、５４  正姿勢指標、５５  レンズ方向指標、５６  回転方向指標、５７  機能表示エレメント、５８  プロンプトエレメント、５９  状態表示エレメント、６０  レンズ光軸指標、６１  移動方向指標、７０  補助指標
【図１】
2011175190.tif 000003
【図２】
2011175190.tif 000004
【図３】
2011175190.tif 000005
【図４】
2011175190.tif 000006
【図５】
2011175190.tif 000007
【図６】
2011175190.tif 000008
【図７】
2011175190.tif 000009
【図８】
2011175190.tif 000010
【図９】
2011175190.tif 000011
【図１０】
2011175190.tif 000012
【図１１】
2011175190.tif 000013
【図１２】
2011175190.tif 000014
【図１３】
2011175190.tif 000015